(57)【要約】【課題】学習机の天板後部に載置して使用し、少なくとも両側板及び背板を備え、背板の前面に本立てを上下左右に位置変更可能に設け、背板の後面に照明装置の支持アームを取付けてなる照明付き机上棚において、本立ての下方にＡ４サイズの空間を確保でき、照明装置と本立てが干渉しない照明付き机上棚を提供する。【解決手段】固定棚板１０の下方で背板７の上方に開口１２を設け、背板の後面左右中央部に立起状態で取付けた支持アーム１４の支柱部１５の上端からアーム部１６が前方へ延び、開口を通して前方へ出現したアーム部の先端に灯具１３を設け、本立て４の横幅を両側板６，６の間隔の１／２からアーム部の横幅の半分の寸法を引いた値よりも狭く、両側板の間隔の１／４よりも広く設定し、本立てを背板の最上段に取付けた際に、アーム部に干渉しないようにした。【選択図】        図１
2007296138.tif 000002
【特許請求の範囲】
【請求項１】
学習机の天板後部に載置して使用し、両側板、背板及び固定棚板とを備え、該固定棚板の下方で前記背板の前面に本立てを上下左右に位置変更可能に設けるとともに、前記背板の後面に照明装置の支持アームを取付けてなる照明付き机上棚であって、前記固定棚板の下方で前記背板の上方に前後に開放した開口を設け、前記背板の後面左右中央部に立起状態で取付けた支持アームの支柱部の上端からアーム部が前方へ延び、前記開口を通して前方へ出現した前記アーム部の先端に灯具を設け、前記本立ての横幅を前記両側板の間隔の１／２から前記アーム部の横幅の半分の寸法を引いた値よりも狭く、両側板の間隔の１／４よりも広く設定し、該本立てを背板の最上段に取付けた際に、前記アーム部に干渉しないようにしたことを特徴とする照明付き机上棚。
【請求項２】
前記本立てを背板の最上段に取付けた際に、該本立ての下方にＡ４サイズの空間が形成される請求項１記載の照明付き机上棚。
【請求項３】
前記机上棚が下部棚と上部棚とを積段した構造であり、前記固定棚板を上部棚に設けるとともに、前記開口を上部棚の固定棚板より下方で、下部棚の背板の上端より上方に形成している請求項１又は２記載の照明付き机上棚。
【請求項４】
学習机の天板後部に載置して使用し、両側板及び背板とを備え、前記背板の前面に本立てを位置変更可能に設けるとともに、前記背板の後面に照明装置の支持アームを取付けてなる照明付き机上棚であって、前記背板の後面左右中央部に立起状態で取付けた支持アームの支柱部の上端からアーム部が前方へ延び、前記背板の上端を越えて前方へ出現した前記アーム部の先端に灯具を設け、前記本立てを背板の最上段に取付けた際に、前記アーム部に干渉しないようにしたことを特徴とする照明付き机上棚。
【請求項５】
前記本立てを背板の最上段に取付けた際に、該本立ての下方にＡ４サイズの空間が形成され、該本立ての最上部よりも前記アーム部が高い位置になるように前記支柱部の高さを設定してなる請求項４記載の照明付き机上棚。
【発明の詳細な説明】
【技術分野】
【０００１】
本発明は、照明付き机上棚に係わり、更に詳しくは照明装置と本立てを備えた照明付き机上棚に関するものである。
【背景技術】
【０００２】
従来から、照明装置と本立てを備えた照明付き机上棚は各種提供されている。例えば、特許文献１には、学習机の天板の後部に載置された机上棚は、左右側板間の後部に背板を連結し、両側板と背板とで囲まれた空間の下部に本立てと小棚板とを左右に配置して装着し、空間の上部に固定棚板を設けた構造が開示され、机上棚が下部棚と上部棚とに上下分離可能な構造である点も開示されている。また、特許文献２には、前記照明装置は、灯具とそれを支持する支持アームとからなり、該支持アームの支柱部を背板の背面に固定金具にて取付け、支持アームのアーム部は、背板の開口部を通して上段棚板の下方に沿って前方へ延び、その先端部に前記灯具が取付けられている。前記支持アームのアーム部は、回転及び伸縮可能であり、またアーム部に対して灯具も角度変更可能に連結されている。
【０００３】
前記本立ては、前記両側板の間隔の略１／２の横幅を有しているため、机上棚の一側に寄せて取付けた場合には、該本立ての側面板が左右略中央部に位置することになる。一方、前記照明装置のアーム部は、机上棚の左右中央部で背板の背後から前方に延び、支柱部に対して首振り可能になっている。昨今の書籍類はＡ４（Ａ列４番、以下同様）サイズのものが多くなり、机上棚においてもＡ４サイズの収容空間を多く確保することが望まれるようになってきた。
【０００４】
机上棚に様々な大きさの書籍類を効率良く、また好みに応じて収容できるように本立てや小棚板の取付高さを変更できる構造のものも提案されている。しかし、机上棚の下部位置に設けた本立てにはＡ４サイズの書籍類を収容することは可能であるが、本立ての下方にＡ４サイズの空間を確保するという発想はなかった。特に、上部に固定棚板を備えた机上棚では、該固定棚板の下方位置に照明装置の灯具が位置するため、本立てを高い位置に取付けて、その下方にＡ４サイズの空間を確保した場合、前記灯具やアーム部と本立てが干渉して、灯具の首振り調節が困難になるばかりでなく、本立て自体の収容効率が悪くなるといった問題を有していた。
【特許文献１】特開２００３−３２５２３６号公報
【特許文献２】特開２００３−２９７１１９号公報
【発明の開示】
【発明が解決しようとする課題】
【０００５】
そこで、本発明が前述の状況に鑑み、解決しようとするところは、学習机の天板後部に載置して使用し、少なくとも両側板及び背板を備え、前記背板の前面に本立てを上下左右に位置変更可能に設けるとともに、前記背板の後面に照明装置の支持アームを取付けてなる照明付き机上棚において、本立ての下方にＡ４サイズの空間を確保することができ、しかも照明装置と本立てが干渉することがない照明付き机上棚を提供する点にある。
【課題を解決するための手段】
【０００６】
本発明は、前述の課題解決のために、学習机の天板後部に載置して使用し、両側板、背板及び固定棚板とを備え、該固定棚板の下方で前記背板の前面に本立てを上下左右に位置変更可能に設けるとともに、前記背板の後面に照明装置の支持アームを取付けてなる照明付き机上棚であって、前記固定棚板の下方で前記背板の上方に前後に開放した開口を設け、前記背板の後面左右中央部に立起状態で取付けた支持アームの支柱部の上端からアーム部が前方へ延び、前記開口を通して前方へ出現した前記アーム部の先端に灯具を設け、前記本立ての横幅を前記両側板の間隔の１／２から前記アーム部の横幅の半分の寸法を引いた値よりも狭く、両側板の間隔の１／４よりも広く設定し、該本立てを背板の最上段に取付けた際に、前記アーム部に干渉しないようにしたことを特徴とする照明付き机上棚を構成した（請求項１）。
【０００７】
ここで、前記本立てを背板の最上段に取付けた際に、該本立ての下方にＡ４サイズの空間が形成されることが好ましい（請求項２）。
【０００８】
また、前記机上棚が下部棚と上部棚とを積段した構造であり、前記固定棚板を上部棚に設けるとともに、前記開口を上部棚の固定棚板より下方で、下部棚の背板の上端より上方に形成していることが好ましい（請求項３）。
【０００９】
また、本発明は、学習机の天板後部に載置して使用し、両側板及び背板とを備え、前記背板の前面に本立てを位置変更可能に設けるとともに、前記背板の後面に照明装置の支持アームを取付けてなる照明付き机上棚であって、前記背板の後面左右中央部に立起状態で取付けた支持アームの支柱部の上端からアーム部が前方へ延び、前記背板の上端を越えて前方へ出現した前記アーム部の先端に灯具を設け、前記本立てを背板の最上段に取付けた際に、前記アーム部に干渉しないようにしたことを特徴とする照明付き机上棚を構成した（請求項４）。
【００１０】
ここで、前記本立てを背板の最上段に取付けた際に、該本立ての下方にＡ４サイズの空間が形成され、該本立ての最上部よりも前記アーム部が高い位置になるように前記支柱部の高さを設定してなることが好ましい（請求項５）。
【発明の効果】
【００１１】
以上にしてなる請求項１に係る発明の照明付き机上棚は、本立ての横幅を机上棚の両側板の間隔の１／２からアーム部の横幅の半分の寸法を引いた値よりも狭く、両側板の間隔の１／４よりも広く設定したので、照明装置が机上棚の固定棚板と背板の上端間に設けた開口から、前方へ出現したアーム部の先端に灯具を設けた構造であり、しかも本立てを背板の最上段に取付けた場合でも、前記アーム部に本立てが干渉することがなく、また本立ての下方に高さの高い空間を確保することができる。
【００１２】
請求項２によれば、本立てを背板の最上段に取付けた際に、該本立ての下方にＡ４サイズの空間が形成されるので、該本立ての下方にＡ４サイズの書籍類を収容することができる。
【００１３】
請求項３によれば、机上棚が下部棚と上部棚とを積段し、上部棚の固定棚板の下方に灯具を設けた構造で、上部棚にも体格が小さい児童が書籍類を出し入れするため、固定棚板の高さを抑える必要があるが、そのような場合でも下部棚の背板の最上段に本立てを取付けてその下方にＡ４サイズの空間を確保することができるのである。
【００１４】
請求項４によれば、机上棚の背板の上方が開放されているので、両側板間にどのような横幅の本立てを配置し、しかも背板の最上段に本立てを取付けて、本立ての下方に高さの高い空間を確保した場合でも、前記背板の後面左右中央部に立起状態で取付けた支持アームの支柱部の上端から前方へ延びたアーム部が本立てに干渉しないのである。
【００１５】
請求項５によれば、背板の最上段に取付けた本立ての最上部よりもアーム部が高い位置になるように支柱部の高さを設定したので、前記本立ての横幅が机上棚の両側板の間隔の１／２であっても、本立てにアーム部が当ることことがなく、更に本立ての下方にＡ４サイズの空間が形成されるので、該本立ての下方にＡ４サイズの書籍類を収容することができる。
【発明を実施するための最良の形態】
【００１６】
次に、添付図面に示した実施形態に基づき、本発明を更に詳細に説明する。図１〜図３は本発明に係る照明付き机上棚の第１実施形態を示し、図４〜図６は照明付き机上棚の第２実施形態を示し、図中符号１は学習机、２は机上棚、３は照明装置、４は本立てをそれぞれ示している。
【００１７】
第１実施形態の机上棚２は、下部棚２Ａと上部棚２Ｂとを積段し、互に連結した状態で学習机１の天板５の後部に載置して使用するものであり、第２実施形態の机上棚２は、背の低い一段タイプのもので、構造的には前記下部棚２Ａに近いものである。何れの構造の机上棚２においても照明装置３が設けられ、本立て４を下左右に位置変更可能に設けている。
【００１８】
先ず、図１〜図３に基づいて第１実施形態の机上棚２を説明する。前記机上棚２は、下部棚２Ａと上部棚２Ｂとに分離し、下部棚２Ａの上部に上部棚２Ｂを載置して連結して使用できるとともに、上部棚２Ｂを取り去って下部棚２Ａのみで使用することもできる構造である。
【００１９】
前記下部棚２Ａは、両側板６，６間に背板７を連結した構造であり、該側板６の後端より背板７の背面位置が若干前方寄りに位置設定されており、該背板７の背面下端で両側板６，６の下端間に補強部材８を渡設するとともに、上部にあっては前記背板７の背面両端部と各側板６の内面後端部間にアングル金具（図示せず）を固定して補強している。また、前記上部棚２Ｂは、両側板９，９の間に固定棚板１０を連結するとともに、後端間に背板１１を連結した構造である。そして、前記上部棚２Ｂの両側板９，９を下部棚２Ａの両側板６，６の上端に載置し、適宜な連結手段で連結して一体化したものである。
【００２０】
そして、前記下部棚２Ａの背板７と上部棚２Ｂの固定棚板１０若しくは背板１１との間に開口１２を形成している。また、前記照明装置３は、灯具１３とそれを支持する支持アーム１４とからなり、該支持アーム１４の支柱部１５を前記下部棚２Ａの背板７の後面の左右中央部に固定金具にて取付け、支持アーム１４のアーム部１６は、前記開口１２を通して固定棚板１０の下方に沿って前方へ延び、その先端部に前記灯具１３が取付けられている。前記支持アーム１４のアーム部１６は、回転及び伸縮可能であり、またアーム部１６に対して灯具１３も角度変更可能に連結されている。
【００２１】
また、前記本立て４は、両側面板１７，１７の下部に載置板１８を連結するとともに、後部に背面板１９を連結し、更に載置板１８の下方で両側面板１７，１７間に引出し２０を設けた構造のものである。そして、前記本立て４の横幅を前記両側板６，６の間隔の１／２から前記アーム部１６の横幅の半分の寸法を引いた値よりも狭く、両側板６，６の間隔の１／４よりも広く設定している。
【００２２】
そして、前記本立て４を、前記固定棚板１０の下方で前記下部棚２Ａの背板７の前面に上下左右に位置変更可能に設けるために、次のような構造を採用している。つまり、図１及び図２に示すように、前記背板７に、前記本立て４の背面に設けたフック２１を着脱可能に係止する横長スリット孔２２，…を一定間隔毎に多段に設けている。また、前記背板７の上縁７Ａにも前記フック２１を係止して本立て４を取付けることができるようになっている。この背板７の上縁７Ａにフック２１を係止して本立て４を取付けた態様が、本発明における「本立てを背板の最上段に取付ける」点に相当する。尚、前記フック２１とスリット孔２２の組合せ以外にも、公知の各種の係止手段を採用することができる。
【００２３】
また、前記本立て４を下部棚２Ａの両側板６，６の一側に寄せて所定高さに取付けた状態で、該本立て４の中央寄りの側面板１７と、該側面板１７に対面する下部棚２Ａの側板６との間に小棚板２３を着脱可能且つ高さ変更可能に取付けることができるようになっている。そのため、前記下部棚２Ａの側板６の内面と本立て４の側面板１７の外面とに、ピンダボや線ダボを取付けることができる支持孔を多段に列設し、所定高さに取付けたピンダボや線ダボで前記小棚板２３を支持するのである。
【００２４】
図示したように、前記本立て４を下部棚２Ａの最上段に取付けた場合、両側面板１７，１７は前記上部棚２Ｂの固定棚板１０に接近した位置になり、該本立て４の載置板１８の上には上下寸法の低い書籍類を収容することができ、また該本立て４の下方、つまり引出し２０の下方にはＡ４サイズの大きさの書籍類を収容できる空間が確保されている。この状態で、前記本立て４の中央寄りの側面板１７は、前記照明装置３のアーム部１６より外側に位置するので、該アーム部１６の少なくとも上下動作には本立て４が邪魔にならないのである。更に、前記本立て４の横幅を狭くすれば、前記アーム部１６の左右の首振り動作を行うために十分なクリアランスを確保できる。また、前記机上棚２の両側板６，６の間で左右両側部にそれぞれ本立て４，４を設けた場合でも、両本立て４，４間の側面板１７，１７の間に前記アーム部１６の上下動作あるいは左右首振り動作を許容する空間が形成されるのである。また、前記アーム部１６は、支柱部１５に対して固定した構造でも構わないが、支柱部１５の上端に対して首振り可能に設けたものであれば本発明の効果がより顕著である。
【００２５】
次に、図４〜図６に基づいて第２実施形態の机上棚２を説明する。本実施形態の机上棚２は、学習机１の天板５後部に載置して使用し、両側板６，６及び背板７とを備え、前記背板７の前面に本立て４を位置変更可能に設けるとともに、前記背板７の後面に照明装置３の支持アーム１４を取付けてなる照明付き机上棚であって、前記背板７の後面左右中央部に立起状態で取付けた支持アーム１４の支柱部１５の上端から首振り可能なアーム部１６が前方へ延び、前記背板７の上端を越えて前方へ出現した前記アーム部１６の先端に灯具１３を設け、前記本立て４を背板７の最上段に取付けた際に、少なくとも前記アーム部１６の左右動作に干渉しないようにしたものである。ここで、本実施形態の机上棚２は、前記下部棚２Ａと同一構造であるので、同一構成には同一符号を付してその説明は省略する。また、本実施形態の照明装置３及び本立て４は、前述の第１実施形態のものと同一である。
【００２６】
そして、前記本立て４を背板７の最上段に取付けた際に、該本立て４の下方にＡ４サイズの空間が形成され、該本立て４の最上部よりも前記アーム部１６が高い位置になるように前記支柱部１５の高さを設定している。本実施形態の場合、背板７の上方に前記固定棚板１０のような障害物が存在しないので、前記照明装置３の支柱部１５を上方に移動させて背板７の後面に取付けることが可能であり、それにより前記アーム部１６を最上段に取付けた本立て４の側面板１７の最上部よりも更に高い位置に設定することができる。それは、本実施形態のように支持アーム１４の支柱部１５を背板７の後面に立起状態で取付ける構造を採用したことにより可能となったのである。
【００２７】
本実施形態の場合も前記同様に、本立て４の下方、つまり引出し２０の下方にＡ４サイズの大きさの書籍類を収容できる空間が確保されている。本実施形態の場合、前記アーム部１６を最上段に取付けた本立て４の側面板１７の最上部よりも高くするので、前記本立て４の横幅に対する制約は存在しない。従って、前記本立て４として、机上棚２の両側板６，６の間隔の１／２の横幅を有する既製のものをそのまま利用することができる。
【００２８】
また、第１実施形態において、前記上部棚２Ｂの固定棚板１０の上部には、前記本立て４の中央寄りの側面板１７の位置に合わせて固定仕切板２４が左右非対称位置に固定されており、そして同一の仕切板２５が前記スリット孔２２，２２の間の板部や本立て４の背面板１９、あるいは上部棚２Ｂの背板１１に形成したスリット孔２６等を利用して着脱可能に取付けることができるようにしている。そして、前記上部棚２Ｂの側板９及び固定仕切板２４に前記ピンダボや線ダボを取付ける支持孔を形成しておくことにより、前記下部棚２Ａから外した小棚板２３を上部棚２Ｂに付け替えることができる。しかし、前記固定仕切板２４は左右中央に設けることも勿論可能である。
【図面の簡単な説明】
【００２９】
【図１】本発明に係る照明付き机上棚の第１実施形態を示す正面図である。
【図２】同じく縦断面図である。
【図３】同じく机上棚の拡大縦断面図である。
【図４】本発明に係る照明付き机上棚の第２実施形態を示す正面図である。
【図５】同じく縦断面図である。
【図６】同じく机上棚の拡大縦断面図である。
【符号の説明】
【００３０】
１  学習机
２  机上棚
２Ａ  下部棚
２Ｂ  上部棚
３  照明装置
４  本立て
５  天板
６  側板
７  背板
７Ａ  上縁
８  補強部材
９  側板
１０  固定棚板
１１  背板
１２  開口
１３  灯具
１４  支持アーム
１５  支柱部
１６  アーム部
１７  側面板
１８  載置板
１９  背面板
２１  フック
２２  スリット孔
２３  小棚板
２４  固定仕切板
２５  仕切板
２６  スリット孔
【図１】
2007296138.tif 000003
【図２】
2007296138.tif 000004
【図３】
2007296138.tif 000005
【図４】
2007296138.tif 000006
【図５】
2007296138.tif 000007
【図６】
2007296138.tif 000008